(57)【特許請求の範囲】
【請求項１】
アンテナが設けられた固定側フロントケースと固定側リアケースとを有する固定側筐体と可動側筐体とが連結ヒンジ部を介して連結される携帯端末装置であって、
前記アンテナは、アンテナ本体と当該アンテナ本体の基端部に位置するアンテナ軸とを備え、
前記固定側フロントケースには、当該固定側フロントケースの内部に前記アンテナ本体の前記アンテナ軸を挿入自在とする通孔が形成され、
前記固定側フロントケースの内部に設けられた回路基板には、前記アンテナ本体の基端部に設けられたアンテナ軸の先端部を嵌合自在とし、当該アンテナ軸と電気接続する接続部材が固設され、
前記アンテナ軸が前記接続部材と電気接続が行われた際、前記アンテナを収納することができるアンテナ収納部を前記固定側フロントケースに設けたことを特徴とする携帯端末装置。
【請求項２】
前記アンテナ本体の基端部に設けられたアンテナ軸には、防水用Ｏリングが設けられ、前記固定側フロントケースに形成された前記通孔の周囲には、前記Ｏリングを嵌入自在な嵌入凹部が形成されることを特徴とする請求項１に記載の携帯端末装置。
【請求項３】
前記回路基板に固設された前記接続部材は、前記アンテナ本体の前記アンテナ軸に対して開口する一対の接続板部とを有するとともに、当該アンテナ軸の嵌合前には閉口する全体が略Ｖ字型の形状に形成されることを特徴とする請求項１または２に記載の携帯端末装置。
【発明の詳細な説明】
【技術分野】
【０００１】
本発明は、アンテナを備えた携帯端末装置に関し、特に、防水機能およびアンテナの簡易な取り付け構造を有する携帯端末装置に関する。
【背景技術】
【０００２】
従来の携帯電話機は、表示パネルを有する可動側筐体と操作パネルを有する固定側筐体とを連結部により折り畳み自在に連結するとともに、電波を受信するための外付け用のアンテナを備えている。このような携帯電話機に取り付けられたアンテナは、携帯電話機の固定側筐体の外側に折り畳まれた状態で取り付け固定されている（例えば、特許文献１）。
【０００３】
［従来のアンテナの取り付け構造］
ここで、図７を用いて、従来の携帯電話機の外付け用のアンテナの取り付け構造について簡単に説明する。図７は、従来の携帯電話機に設けられた外付け用のアンテナの取り付け状態の概要を説明する図である。
【０００４】
図７に示すように、従来の外付け用のアンテナ３００ａは、固定側筐体（固定フロントケース１１０および固定リアケース１２０）の内部に配設されたシャーシ１５５に取り付けることにより、携帯電話機１０に取り付け固定するとともに、このシャーシ１５５により防水を図る構造となっている。
【０００５】
すなわち、同図に示すように、固定フロントケース１１０と固定リアケース１２０の内部には、略Ｌ字型に屈曲したシャーシ１５５が配設されるとともに、このシャーシ１５５の所定位置には通孔１５６が形成されている。
【０００６】
また、携帯電話機１０に設けたアンテナ３００ａのアンテナ軸３２５の所定の位置には、ネジ１６０が螺合するネジ孔３２６が形成されている。すなわち、アンテナ３００ａは、固定フロントケース１１０と固定リアケース１２０との間を挿通させた状態で、ネジ１６０を、シャーシ１５５の通孔１５６を挿通させる。
【０００７】
そして、このネジ１６０のネジ部を、アンテナ３００ａのアンテナ軸３２５のネジ孔３２６に螺合させることで、アンテナ３００ａをシャーシ１５５に固定する構成としている。
【０００８】
また、同図に示すように、アンテナ３００ａのアンテナ軸３２５をシャーシ１５５に取り付け時には、このアンテナ３００ａのアンテナ軸３２５の先端部の下面に、回路基板１４０に固設された接続端子１４１が当接することで、アンテナ３００と回路基板１４０との電気接続を行なっている。
【先行技術文献】
【特許文献】
【０００９】
【特許文献１】特開２００６−６０３９６号公報
【発明の概要】
【発明が解決しようとする課題】
【００１０】
ところが、上述した従来の携帯電話機の場合、アンテナ３００ａのアンテナ軸３２５に取り付け用のネジ１６０を取り付けるためのネジ孔３２６を形成する加工作業やアンテナ軸３２５の先端部の下面に、回路基板１４０に固設された接続端子１４１を当接させるための当接面（フラット面）を形成する加工作業が別途必要となるという作業上の点で問題がある。
【００１１】
さらに、上述したように、従来では、防水およびアンテナ３００ａの取り付け部材として取り付け用のシャーシ１５５が必要となっていたため、部品点数が嵩むうえ、このシャーシ１５５を配置するスペースが必要となり携帯電話機の小型化を阻害するという問題がある。
【００１２】
また、携帯電話機の組み立て作業の早い段階でアンテナ３００がシャーシ１５５に取り付けられるため、この組み立て作業中にアンテナ３００を損傷する恐れがある。
【００１３】
そこで、この発明は、上述した従来技術の課題を解決するためになされたものであり、防水機能を備えたアンテナおよびアンテナの取り付け部材として使用していた取り付けシャーシを不要とすることにより、部品点数の削減とともにコスト削減および携帯端末機の小型化を図ることができる携帯端末装置を提供することを目的とする。
【課題を解決するための手段】
【００１４】
開示の携帯端末装置に設けられたアンテナは、アンテナ本体と当該アンテナ本体の基端部に位置するアンテナ軸とを備え、携帯端末装置の固定側フロントケースには、内部にアンテナ本体のアンテナ軸を挿入自在とする通孔が形成され、固定側フロントケースの内部に設けられた回路基板には、アンテナ本体の基端部に設けられたアンテナ軸の先端部を嵌合自在とし、当該アンテナ軸と電気接続する接続部材が固設され、アンテナ軸が接続部材と電気接続が行われた際、アンテナを収納することができるアンテナ収納部を固定側フロントケースに設けたことを要件とする。
【発明の効果】
【００１５】
開示の携帯端末装置のケースの内部に設けられた回路基板には、アンテナ本体のアンテナ軸と電気的に接続する接続部材が固設されるとともに、固定側フロントケースに対するアンテナの取り付けは、アンテナ本体のアンテナ軸に設けられた取り付け部材により行なわれるので、アンテナの取り付け工程が最終工程となり、これにより、組立作業の効率化および組み立て作業時のアンテナの破損などを防止することができる。また、アンテナを固定側フロントケースに取り付けるための取り付け部材（シャーシ）が不要となるため、これによって、部品点数の削減により携帯端末装置の小型化を図ることができる。
【００１６】
また、開示の携帯端末装置のアンテナ本体の基端部に設けられたアンテナ軸には、防水用Ｏリングが設けれ、固定側フロントケースに形成された通孔の周囲には、Ｏリングを嵌入自在な嵌入凹部が形成されるので、簡易な構成により防水効果を向上させることができる。
【図面の簡単な説明】
【００１７】
【図１】図１は、実施例１に係る携帯電話機の開放状態を示す外観斜視図である。
【図２】図２は、図１に示したアンテナを示す外観斜視図である。
【図３】図３は、図１に示した固定側筐体を示す分解斜視図である。
【図４】図４は、アンテナの取り付け位置を示す要部拡大斜視図である。
【図５】図５は、アンテナの取り付け前を示す要部拡大斜視図である。
【図６】図６は、アンテナの取り付け状態を示す要部拡大斜視図である。
【図７】図７は、従来のアンテナの取り付け状態を説明する説明図である。
【発明を実施するための形態】
【００１８】
以下に添付図面を参照して、この発明に係る携帯端末装置の好適な実施例１を詳細に説明する。本実施例１は、携帯端末装置として携帯電話機への適用例を示す。なお、この実施例１によりこの発明が限定されるものではない。 
【実施例１】
【００１９】
ここで、図１は、本発明における実施例１に係る携帯電話機１０の開放状態を示す外観斜視図である。同図に示すように、携帯電話機１０は、掌サイズの固定側筐体１００および可動側筐体２００と、これら固定側筐体１００および可動側筐体２００とを連結部２５０により組み付けている。
【００２０】
すなわち、同図に示すように、携帯電話機１０は、送話用に用いられるとともに、数字（０〜９）のキーを有するテンキー１１１および機能キー（モード設定キー）１１２などの各種操作キーを備える固定側筐体１００と、この固定側筐体１００と、ほぼ同等サイズに形成されたＬＣＤモジュール（図示せず）を備える可動側筐体２００とを連結部２５０により折り畳み自在に連結している。これら固定側筐体１００及び可動側筐体２００は、箱形状に形成され、その材料には、例えば、軽量で高強度のマグネシウム合金などが使用されている。 
【００２１】
このうち、固定側筐体１００は、テンキー１１１などの各種操作キーを有する操作パネル板１１５が配置された固定フロントケース１１０と、背面側（図１の下側）に位置する固定リアケース１２０との２分割構造を備えている。
【００２２】
同図に示すように、固定フロントケース１１０には、上述したテンキー１１１、機能キー１１２や利用者の音声を電気信号に変換するマイクロホンが内部に配設された送話口１１３が設けられている。そして、これら両ケース１１０、１２０は、それぞれ４箇所の位置で取り付けネジ（図示せず）によるネジ止め固定により組み付けられている。
【００２３】
このうち固定フロントケース１１０には、外付け用の折り畳み自在のアンテナ３００と一連のサイドキー４００とが配置されている。ここで、アンテナ３００の取り付け構造は、本発明の特徴部分であるため、このアンテナ３００の取り付け構造の詳細については、後述する。
【００２４】
同様に、可動側筐体２００は、可動フロントケース２１０と、背面側（図１の下側）に位置する可動リアケース２２０との２分割構造とを備えている。同図に示すように、このうち可動フロントケース２１０の表面のほぼ中央部には、ＬＣＤモジュール（図示せず）を視認するための大型の表示パネル２１１と表示部２１２とが設けられている。
【００２５】
また、可動フロントケース２１０の上端部には、携帯電話機１０の使用者の耳を当てて音声を聞き取るための受話口２１３が配設されている。これら、両ケース２１０、２２０もそれぞれ４箇所の位置で取り付けネジ(図示せず)により取り付け固定されるとともに、表示パネル２１１の上部位置には、ネジ用の目隠しカバー２１４が設けられている。
【００２６】
［アンテナ３００の取り付け構造］
以下、図２〜図６を用いて、本実施例１による携帯電話機１０に設けたアンテナ３００の取り付け構造の詳細について説明する。
【００２７】
ここで、図２は、図１に示したアンテナ３００の外観斜視図を、図３は、固定側筐体を示す分解斜視図をそれぞれ示している。また、図４は、アンテナの取り付け位置を示す要部拡大斜視図を、図５は、アンテナの取り付け前を示す要部拡大斜視図を、図６は、アンテナの取り付け状態を示す要部拡大斜視図をそれぞれ示している。
【００２８】
ここで、本実施例１の携帯電話機１０に設けられた外付け用のアンテナ３００は、アンテナ本体３１０と当該アンテナ本体３１０の基端部に設けられた鍔部材３３０を有するアンテナ軸３２５とを備え、固定フロントケース１１０の内部に設けられた回路基板１４０には、通孔１３２を挿通したアンテナ本体３１０のアンテナ軸３２５と電気接続する接続受け部１５０が固設され、固定フロントケース１１０に対するアンテナ本体３１０の取り付けは、アンテナ軸３２５に設けられた鍔部材３３０で行なうことに特徴がある。
【００２９】
そして、本実施例１における携帯電話機１０の場合、携帯電話機１０に対するアンテナ３００の取り付けは、固定フロントケース１１０の側板ケース部１３０に形成された通孔１３２にアンテナ３００のアンテナ軸３２５を挿通させるとともに、このアンテナ軸３２５に付設した鍔部材３３０を側板ケース部１３０に形成されたネジ孔１３４にネジ部材３５０によりネジ固定することで、アンテナ３００を携帯電話機１０に取り付けることができる。また、アンテナ３００と側板ケース部１３０との接触部（通孔１３２付近）にＯリング３４０を設けることにより防水性を確保することとしている。
【００３０】
また、携帯電話機１０に対するアンテナ３００の電気接続は、固定フロントケース１１０の側板ケース部１３０に形成された通孔１３２にアンテナ３００のアンテナ軸３２５を挿通させた状態で、この挿通したアンテナ軸３２５の先端部を、固定フロントケース１１０の回路基板１４０に固設された略Ｖ字型の接続受け部１５０に嵌合させることで行なうことができる。
【００３１】
すなわち、図２および図３に示すように、アンテナ３００は、長尺状で小円筒型のアンテナ本体３１０とアンテナ下半部３２０と、このアンテナ下半部３２０の基端側に位置し、ほぼ９０°屈曲するアンテナ軸３２５とを備えている。
【００３２】
また、アンテナ３００のアンテナ下半部３２０とアンテナ軸３２５との結合部には、鍔部材３３０が設けられている。この鍔部材３３０には、ネジ部材３５０を挿通させるための通孔３３１が形成されている。
【００３３】
このアンテナ３００のアンテナ本体３１０は、側板ケース部１３０の所定の位置に形成されたアンテナ収納部１３５に収納される。また、このアンテナ３００は、アンテナ下半部３２０からアンテナ本体３１０を、アンテナ中心軸３１５の伸長により引き伸ばすことによりアンテナ長を大きくすることができる。
【００３４】
このアンテナ３００は、アンテナ軸３２５を固定フロントケース１１０の通孔１３２に挿通させ、回路基板１４０に固設された接続受け部１５０に嵌合させることで電気接続することができる。
【００３５】
また、この長尺棒状に形成されたアンテナ軸３２５には、防水用のＯリング３４０が嵌め込まれており、このＯリング３４０（図３）により携帯電話機１０の内部に対する防水を行なうことができる。
【００３６】
すなわち、図３および図４に示すように、固定フロントケース１１０の側板ケース部１３０の上半部（図３の左側）には、側板凹部１３１が形成され、この側板凹部１３１にアンテナ３００のアンテナ軸３２５を挿入させるための通孔１３２が形成されている。また、この通孔１３２の周縁部には、アンテナ軸３２５に設けられたＯリング３４０を嵌め込むための嵌合凹部１３３が形成されている。
【００３７】
また、同様に、側板ケース部１３０の側板凹部１３１には、アンテナ軸３２５に付設した鍔部材３３０の通孔３３１を挿通させたネジ部材３５０のネジ部を螺合締結させるためのネジ孔１３４が形成されている。
【００３８】
上述したように、アンテナ軸３２５に付設された鍔部材３３０を側板ケース部１３０の側板凹部１３１にネジ部材３５０で螺合締結することにより、アンテナ３００を固定フロントケース１１０に取り付け固定することができる。
【００３９】
なお、アンテナ３００を構成するアンテナ本体３１０およびアンテナ下半部３２０は、側板ケース部１３０に形成された長尺状のアンテナ収納部１３５に収納される。一方、固定リアケース１２０は、電池パックを収納する四角形状の収納部１２１が形成されるとともに、この側板ケース部１２５の一端側（図３の左側）の所定位置には、２箇所の切り欠き部１２６、１２７がそれぞれ形成されている。これら２箇所の切り欠き部１２６、１２７は、固定リアケース１２０を固定フロントケース１１０に合体した時に、側板ケース部１３０の側板凹部１３１の周囲を包囲することができる。
【００４０】
このように、アンテナ３００を収納する外観モールドケース（固定フロントケース１１０および固定リアケース１２０）を取り付けてからアンテナ３００を組み立てるため、アンテナ３００は、アンテナ収納部１３５に収納された状態のままとなり、これによって、組み立て作業工程内でアンテナ３００が損傷することなどを防止することができる。
【００４１】
また、従来のアンテナ３００の取り付け用の部材として、また、防水用の部材として使用していた取り付け用のシャーシ１５５（図７）が不要となるため、部品点数の削減によるコスト削減とともにシャーシ１５５の配置領域が不要となり携帯端末機１０の小型化を図ることができる。
【００４２】
［接続受け部１５０の構成］
また、固定フロントケース１１０の内部には、回路基板１４０が設けられており、この回路基板１４０の所定の位置には、給電端子部（図示せず）が設けられており、この給電端子部に、アンテナ３００のアンテナ軸３２５と電気接続する接続受け部１５０が取り付け固定されている。
【００４３】
同図に示すように、接続受け部１５０は、固定フロントケース１１０の側板ケース部１３０に形成された通孔１３２に向けて開口するとともに、この接続受け部１５０は、一対の接続板部１５１、１５１を有する略Ｖ字型に形成されている。
【００４４】
具体的に説明すると、この接続受け部１５０は、アンテナ３００をモールドケース（固定フロントケース１１０）の外側から通孔１３２（図４）から挿入して組み立てることを可能にすべく外側に向けて開口する形状（略Ｖ字型）に形成されている。
【００４５】
ここで、本実施例１において、一対の接続板部１５１、１５１を備えている接続受け部１５０の材料には、磁化が発生頻度が少ないうえに、所定の強度と電気導電性が高いとさるベリリウム銅合金（Beryllium）が使用されている。
【００４６】
このように、接続受け部１５０は、アンテナ軸３２５を両側から所定のばね圧により挟持する一対の接続板部１５１、１５１を備えているので、接続受け部１５０に対するアンテナ軸の先端部との挿入時には、これら一対の接続板部１５１、１５１によるばね圧によりアンテナ３００のアンテナ軸３２５との嵌合を確実に行なうことができ、これによって、良好な電気的導通特性を可能とすることができる。
【００４７】
さらに、このアンテナ３００のアンテナ軸３２５と、接続受け部１５０との嵌合は、一対の接続板部１５１、１５１による広範囲な接触となるので、例えば、アンテナ３００が抉られたり回転した場合でもアンテナ軸３２５と接続受け部１５０との嵌合に接触不良などが発生することはない。
【００４８】
［アンテナ３００の取り付け手順］
以下、図５および図６を用いて、アンテナ３００を携帯電話機１０に取り付ける手順の概要について説明する。すなわち、（１）先ず、アンテナ３００のアンテナ軸３２５を固定フロントケース１１０の側板ケース部１３０（側板凹部１３１）に形成された通孔１３２に挿通させる。
【００４９】
（２）この時、アンテナ軸３２５に設けられた防水用のＯリング３４０を通孔１３２の周囲に形成された嵌合凹部１３３（図４）に嵌め込む。このように、Ｏリング３４０をアンテナ３００のアンテナ軸３２５と通孔１３２との接合部（嵌合凹部１３３）に設けることにより、固定フロントケース１１０および固定リアケース１２０内への防水性を確保することができる。（３）次に、アンテナ軸３２５の先端部を回路基板１４０に固設された接続受け部１５０に嵌合させる。
【００５０】
（４）次に、同じく、アンテナ３００のアンテナ軸３２５に付設した鍔部材３３０の通孔３３１にネジ部材３５０を挿通させるとともに、この挿通させたネジ部材３５０のネジ部を側板ケース部１３０（側板凹部１３１）に形成されたネジ孔１３４に螺合させ結合固定する。
【００５１】
以上説明したように、本実施例１における携帯電話機１０に対するアンテナ３００の取り付けは、アンテナ３００のアンテナ軸３２５を固定フロントケース１１０の側板ケース部１３０に形成された通孔１３２を挿通させた状態で、アンテナ軸３２５の鍔部材３３０を固定フロントケース１１０の側板ケース部１３０の（所定の位置）ネジ孔１３４にネジ部材３５０により固定する構成としているので、従来必要としていたアンテナ３００を固定フロントケース１１０に固定するための取り付け部品（シャーシ）が不要となるため、これによって、部品点数の削減とともにアンテナを収納するスペースを小スペースとすることができるため、携帯電話機の薄型化および小型化を図ることができる。
【００５２】
また、アンテナ３００と回路基板１４０との電気接続は、アンテナ３００のアンテナ軸３２５を固定フロントケース１１０の側板ケース板１３０に形成された通孔１３２に挿通させた状態で、この挿通したアンテナ軸３２５の先端部を、回路基板１４０に固設された略Ｖ字型の接続受け部１５０に対して、嵌合させ接続することができるので、アンテナ３００と回路基板１４０との電気接続を確実に行なうことができる。
【００５３】
なお、上述したように、アンテナ３００の取り付け後に、このアンテナ３００はアンテナ収納部１３５(図３)に折り畳まれた状態で収納され、そして、この後に、固定リアケース１２０の組み付けが行なわれることとなる。これによって、従来発生していた携帯電話機１０の組み立て作業中にアンテナ３００を破損するなどの不具合を確実に防止することができる。
【００５４】
（他の実施例）
さて、これまで本発明の実施例１について説明したが、本発明は上述した実施例以外にも、上記特許請求の範囲に記載した技術的思想の範囲内において、種々の異なる実施例にて実施することもできる。 
【００５５】
すなわち、本実施例１では、ヒンジ部による折り畳み方式の携帯電話機への適用例として説明したが、図示例のヒンジ構造に限らず各種ヒンジ構造に適用でき、さらには、ヒンジ構造による折り畳み方式に限らず、本発明は、例えばスライド方式や平面内回転方式の連結部構成によって固定側筐体に対して可動側筐体を重ね合わせ自在としたものであっても同様に適用することができる。 
【００５６】
また、本実施例１では、携帯端末装置として、携帯電話機への適用例として説明したが、本発明はこれに限定されるものではなく、ＰＤＡ（Personal Digital Assistants）のような小型情報処理端末、小型音楽再生装置、携帯テレビ、携帯型ゲーム機等の他の各種携帯端末装置のアンテナの取り付け構造にも適用することができる。 
【００５７】
以上の実施例１を含む実施形態に関し、さらに以下の付記を開示する。
【００５８】
（付記１）アンテナが設けられた固定側フロントケースと固定側リアケースとを有する固定側筐体と可動側筐体とが連結ヒンジ部を介して連結される携帯端末装置であって、
前記アンテナは、アンテナ本体と当該アンテナ本体の基端部に設けられた取り付け部材を有するアンテナ軸部とを備え、
前記固定側フロントケースの所定の位置には、当該固定側フロントケースの内部に前記アンテナ本体のアンテナ軸を挿入自在とする通孔が形成され、
前記固定側フロントケースの内部に設けられた回路基板には、前記アンテナ本体の基端部に設けられたアンテナ軸部の先端部を嵌合自在とし、当該アンテナ軸部と電気接続する接続部材が固設されるとともに、当該固定側フロントケースの所定位置に対する前記アンテナ本体の取り付けは、前記取り付け部材により行なわれることを特徴とする携帯端末装置。
【００５９】
（付記２）前記アンテナ軸に設けられた前記取り付け部材には、ネジ部材が挿通自在な通孔が形成されるとともに、前記固定側フロントケースの所定の位置には、前記ネジ部材のネジ部と螺合自在なネジ孔が形成されることを特徴とする付記１に記載の携帯端末装置。
【００６０】
（付記３）前記アンテナ本体の基端部に設けられたアンテナ軸部には、防水機能を有するＯリング部材が設けられ、前記固定側フロントケースの所定の位置に形成された前記通孔の周囲には、前記Ｏリング部材を嵌入自在な嵌入凹部が形成されることを特徴とする付記１または２に記載の携帯端末装置。
【００６１】
（付記４）前記回路基板に固設された前記接続部材は、前記アンテナ本体の前記アンテナ軸部に対して開口する一対の接続板部とを有するとともに、当該アンテナ軸部との嵌合時には閉口する全体が略Ｖ字型の形状に形成されることを特徴とする付記１、２または３に記載の携帯端末装置。
【００６２】
（付記５）前記アンテナ本体の基端部に設けられたアンテナ軸部は、当該アンテナ本体に対して略直角方向に屈曲自在となるように形成されることを特徴とする付記１〜４の何れか一つに記載の携帯端末装置。
【００６３】
（付記６）前記接続部材の材料は、ベリリウム銅が選定されることを特徴とする付記１〜５の何れか一つに記載の携帯端末装置。
【符号の説明】
【００６４】
１０  携帯電話機
１００  固定側筐体
１１０  固定フロントケース
１１５  操作パネル
１２０  固定リアケース
１３０  側板ケース部
１３１  側板凹部
１３２  円形凹部
１３３  通孔
１４０  回路基板
２００  可動側筐体
２１０  可動フロントケース
２１１  表示パネル
２１２  表示部
２２０  可動リアケース
２５０  連結部
３００  アンテナ
３１０  アンテナ本体
３２５  アンテナ軸
３３０  鍔部材
３４０  Ｏリング
３５０  ネジ部材
【図１】
0004643732.tif 000002
【図２】
0004643732.tif 000003
【図３】
0004643732.tif 000004
【図４】
0004643732.tif 000005
【図５】
0004643732.tif 000006
【図６】
0004643732.tif 000007
【図７】
0004643732.tif 000008